(57)【要約】      （修正有）【課題】鼻孔に器具を挿入することなく容易に鼻汁の吸引でき、又鼻孔内に空気を送給し人工呼吸を可能とする、鼻孔通気器具を提供する。【解決手段】鼻孔通気器具１０を、鼻部Ｎを覆い顔面Ｆとの間に空間部分を形成する覆い部２１と、覆い部２１の外周縁部２２に沿って配設され顔面Ｆと接する接顔部３０と、で本体部２０を構成して、本体部２０が顔面Ｆと接顔しているときに本体部２０内を正圧状態又は負圧状態にする吸気排気部４０と、で構成する。接顔部３０を、管状に形成された複数の管状体を有する構成とし、顔面Ｆに向かう方向に沿って重ね合せて配設し、顔面Ｆに臨む管状体に、顔面Ｆと接顔時に、顔面Ｆとの隙間を塞いで本体部２０内の正圧状態又は負圧状態を保持する圧力保持片を配設する。【選択図】図１
0003183049.tif 000002
【実用新案登録請求の範囲】
【請求項１】
鼻部を覆う覆い部と、前記覆い部の外周縁部に沿って配設され顔面と接する接顔部と、で本体部が構成され、前記本体部が前記顔面と接顔しているときに、前記本体部と顔面との間に形成される空間部分を正圧状態又は負圧状態にする吸気排気部を備えて構成される鼻孔通気器具であって、
前記接顔部が、弾性を有した部材で環状に形成されていることを特徴とする鼻孔通気器具。
【請求項２】
前記接顔部が、管状に形成された複数の管状体で形成され、前記顔面に向かう方向に沿って重ね合わされて配設されていることを特徴とする請求項１記載の鼻孔通気器具。
【請求項３】
前記顔面に臨む管状体には、前記顔面と接顔時に、前記顔面との隙間を塞いで前記空間部分の正圧状態又は負圧状態を保持する圧力保持片が配設されていることを特徴とする請求項２記載の鼻孔通気器具。
【請求項４】
前記接顔部が、前記覆い部と別体に形成され、
前記覆い部は、外周縁部に沿って設けられた係合部を有し、
前記接顔部は、前記覆い部に臨む側に前記係合部と係合可能な被係合部を有し、
前記係合部と、前記被係合部と、が着脱可能に形成されていることを特徴とする請求項１〜３のいずれかに記載の鼻孔通気器具。
【請求項５】
前記覆い部及び前記接顔部の少なくとも一方には、前記本体部が前記顔面と接顔しているときにおいて使用者の頭部に係止可能な取付紐が配設されていることを特徴とする請求項１〜４のいずれかに記載の鼻孔通気器具。
【請求項６】
前記吸気排気部が、前記覆い部に取り付けられ前記空間部分と連通して形成された筒状のシリンダ部と、前記シリンダ部内を摺動するピストン部と、前記シリンダ部と前記ピストン部とで囲まれる中空部と、を有し、
前記シリンダ部には、前記空間部分との境界部分に位置して前記中空部側に開閉可能な吸気扉と、前記シリンダ部の外周壁の前記中空部に臨む部分に位置して前記シリンダ部の外周壁に対して外側に開閉可能な開閉扉と、が配設され、
前記吸気排気部は、前記空間部分を負圧状態にのみするように形成され、
前記空間部分を負圧状態にするときに、前記吸気扉が開くとともに前記開閉扉が閉じて、鼻汁吸引具として適用されることを特徴とする請求項１〜５のいずれかに記載の鼻孔通気器具。
【請求項７】
前記吸気排気部が、前記覆い部に取り付けられ前記空間部分と連通して形成された筒状のシリンダ部と、前記シリンダ部内を摺動するピストン部と、前記シリンダ部と前記ピストン部とで囲まれる中空部と、を有し、
前記シリンダ部には、前記空間部分との境界部分に位置して前記空間部分側に開閉可能な排気扉と、前記シリンダ部の外周壁の前記中空部に臨む部分に位置して前記シリンダ部の外周壁に対して内側に開閉可能な開閉扉と、が配設され、
前記吸気排気部は、前記空間部分を正圧状態にのみするように形成され、
前記空間部分を正圧状態にするときに、前記排気扉が開くとともに前記開閉扉が閉じて、人工呼吸器として適用されることを特徴とする請求項１〜５のいずれかに記載の鼻孔通気器具。
【考案の詳細な説明】
【技術分野】
【０００１】
本考案は、効果的に鼻孔の通気を可能とする鼻孔通気器具に関するものである。
【背景技術】
【０００２】
自力で鼻をかむのが困難な乳幼児、高齢者等が風邪をひいたりして鼻汁が出た場合の鼻汁吸引具として、特許文献１に記載されたものがあった。これによると、鼻汁吸引具は、一又は複数の蛇腹を有するストローの一端に、鼻孔に挿入するための鼻当て部を一体又は着脱可能に設けられていた。鼻当て部を鼻孔に挿入した状態で、ストローの他端側を口で吸うことにより、鼻孔内の鼻汁が吸い出されることとなっていた。
【先行技術文献】
【特許文献】
【０００３】
【特許文献１】特開平１１−３１９０７３号公報
【考案の概要】
【考案が解決しようとする課題】
【０００４】
しかし、上記鼻汁吸引具は、鼻当て部を鼻孔に挿入しなければ、鼻汁を吸引できない。乳幼児等は、顔の近くに器具を近づけると嫌がることが多く、鼻孔に鼻当て部を挿入して鼻汁を吸引することは実際には困難である。
【０００５】
また、高齢者や蓄膿症の患者の鼻汁を、介護職に携わる人や、蓄膿症の患者にかかわる医師又は看護師が、ストロー等を用いて口で吸い取ることは、鼻汁が誤って口に入るおそれがあり衛生上問題があった。
【０００６】
さらに、鼻当て部を鼻孔に挿入することは、鼻孔内の粘膜への負担が大きいので、容易に鼻汁を鼻孔外に排出することを可能とすることが望まれていた。
【０００７】
一方、救助活動を行なうときに、吐しゃ物があり口の周囲が清潔でない状態では、口と口とを合わす人工呼吸は衛生上の問題があり奨励されるものではなかった。そこで、口と口とを合わすことなく患者の肺に新鮮な空気を送りこめるようにして、救助隊員等の負坦を軽減させることが望まれていた。
【０００８】
本考案は、上記事情に鑑み、鼻孔に器具を挿入することなく容易に鼻汁の吸引を可能とする、又は／及び、口と口とを合わすことなく鼻孔内に空気を送給し人工呼吸を可能とする、鼻孔通気器具を提供することを目的とする。
【課題を解決するための手段】
【０００９】
請求項１記載の考案では、鼻部を覆う覆い部と、覆い部の外周縁部に沿って配設され顔面と接する接顔部と、で本体部が構成され、本体部が顔面と接顔しているときに、本体部と顔面との間に形成される空間部分を正圧状態又は負圧状態にする吸気排気部を備えて構成される鼻孔通気器具であって、接顔部が、弾性を有した部材で環状に形成されていることを特徴としている。
【００１０】
これによれば、本体部が使用者の鼻部を覆って顔面と接顔するときに、接顔部が弾性変形して顔面の形状にフィットし、吸気排気部により本体部と顔面との間に形成される空間部分を負圧状態にできるので、圧力差により鼻孔内の鼻汁が、鼻孔外に排出され、鼻孔に器具を挿入することなく容易に鼻汁を吸引することができる。
【００１１】
一方、吸気排気部により本体部と顔面との間に形成される空間部分を正圧状態にすれば、口と口とを合わすことなく鼻孔を通じて使用者の肺に新鮮な空気を送り可能となる。
【００１２】
また、接顔部を、管状に形成された複数の管状体で形成して、顔面に向かう方向に沿って重ね合わせて配設すれば、弾性変形する部分を大きくとれるので、顔面の凹凸が大きい場合にも顔面の形状にフィットさせることが可能となる。
【００１３】
また、顔面に臨む管状体に、顔面と接顔時に、顔面との隙間を塞いで空間部分の正圧状態又は負圧状態を保持する圧力保持片を配設すれば、吸気排気部による吸引時に、顔面と本体部との間の空間部分に外気が侵入するのを防止できるため、鼻孔内との圧力差が生じやすくなり、鼻汁の吸引力、人工呼吸における吸気効率を高めることができる。
【００１４】
また、接顔部を、覆い部と別体に形成して、覆い部を、外周縁部に沿って設けられた係合部を有する構成とし、接顔部を、覆い部に臨む側に係合部と係合可能な被係合部を有する構成とし、係合部と、被係合部と、を着脱可能に形成すれば、接顔部の破損、経年劣化等により、本体部内の正圧状態又は負圧状態の保持が困難になった場合に、接顔部のみ交換することができ運用コストを低減することが可能となる。
【００１５】
また、覆い部及び接顔部の少なくとも一方に、本体部が顔面と接顔しているときにおいて使用者の頭部に係止可能な取付紐を配設すれば、本体部を手で持つ必要がなくなるので、吸気排気部による吸引作業を容易にすることができる。
【００１６】
また、吸気排気部を、覆い部に取り付けられ空間部分と連通して形成された筒状のシリンダ部と、シリンダ部内を摺動するピストン部と、シリンダ部とピストン部とで囲まれる中空部と、を有する構成とし、シリンダ部に、空間部分との境界部分に位置して中空部側に開閉可能な吸気扉と、シリンダ部の外周壁の中空部に臨む部分に位置してシリンダ部の外周壁に対して外側に開閉可能な開閉扉と、を配設して、吸気排気部は、空間部分を負圧状態にのみするように形成し、空間部分を負圧状態にするときに、吸気扉が開くとともに開閉扉が閉じるようにすれば、鼻汁吸引具として適用することができる。
【００１７】
また、吸気排気部を、覆い部に取り付けられ空間部分と連通して形成された筒状のシリンダ部と、シリンダ部内を摺動するピストン部と、シリンダ部とピストン部とで囲まれる中空部と、を有し、シリンダ部に、空間部分との境界部分に位置して空間部分側に開閉可能な排気扉と、シリンダ部の外周壁の中空部に臨む部分に位置してシリンダ部の外周壁に対して内側に開閉可能な開閉扉と、を配設して、吸気排気部は、空間部分を正圧状態にのみするように形成し、空間部分を正圧状態にするときに、排気扉が開くとともに開閉扉が閉じるようにすれば人工呼吸器として適用することができる。
【図面の簡単な説明】
【００１８】
【図１】本考案の一実施形態の鼻孔通気器具の斜視図である。
【図２】同実施形態の鼻孔通気器具の側断面図である。
【図３】同実施形態の鼻孔通気器具の接顔部側からみた斜視図である。
【図４】同実施形態の吸気排気部のピストン部の押し込み時の側断面図である。
【図５】同実施形態の吸気排気部のピストン部の引っ張り時の側断面図である。
【図６】同実施形態の接顔部及び覆い部の拡大断面図である。
【図７】同実施形態の接顔部及び覆い部の変形例の拡大断面図である。
【図８】接顔部及び覆い部を鼻根部分の高い人に使用可能とする変形例の接顔部側からみた斜視図である。
【図９】同実施形態の接顔部及び覆い部の他の変形例の拡大断面図である。
【図１０】接顔部及び覆い部を鼻根部分の高い人に使用可能とする他の変形例の接顔部側からみた斜視図である。
【図１１】鼻汁吸引具として適用する場合の吸気排気部のピストン部の押し込み時の側断面図である。
【図１２】鼻汁吸引具として適用する場合の吸気排気部のピストン部の引っ張り時の側断面図である。
【図１３】人工呼吸器として適用する場合の吸気排気部のピストン部の押し込み時の側断面図である。
【図１４】人工呼吸器として適用する場合の吸気排気部のピストン部の引っ張り時の側断面図である。
【考案を実施するための形態】
【００１９】
本考案の鼻孔通気器具の一実施形態について図面に基づいて説明する。なお、以下の説明では鼻孔通気器具１０の、使用者の顔面Ｆと接する側を後ろ側とし、その反対側を前側とする。
【００２０】
鼻孔通気器具１０は、図１に示すとおり、覆い部２１と、接顔部３０と、で本体部２０が構成され、本体部２０が顔面Ｆと接顔しているときに本体部２０内を正圧状態又は負圧状態にする吸気排気部４０と、覆い部２１に着脱可能に取り付けられた取付紐５０（図２、３では省略してある）と、を備えている。鼻孔通気器具１０は、本体部２０と顔面Ｆとの間に空間部分Ｓを形成可能としている。なお、ここで「鼻部」とは、鼻とその周辺の顔面部分をいう。
【００２１】
覆い部２１は、図１〜３、６に示すように、合成樹脂製で、後ろ側が六角形状に開口した多角形椀状に形成されている。
【００２２】
覆い部２１は、外周縁部２２の全周に沿って設けられた係合部２３を有している。係合部２３は、弾性変形可能な部材で形成され、係合片２３ａ、２３ｂを有し、断面視において外周縁部２２からの長さが同じ略Ｃ字状に形成されている。
【００２３】
覆い部２１の鼻孔に臨む部分の覆い部２１の頂部２７近傍には、貫通孔２５が配設されている。貫通孔２５の内周面には、螺合部２４としてのねじが形成されている。
【００２４】
覆い部２１の外周面には、本体部２０が顔面Ｆと接顔しているときにおける、左右の耳に対応する側に二か所ずつ計四か所、取付紐５０を着脱可能とするフック状に形成された係止部２６が、設けられている。
【００２５】
覆い部２１は、吸気排気部４０を装着可能とするとともに、吸気排気部４０により空間部分Ｓを正圧状態又は負圧状態にしたときに変形しない程度の剛性を有している。
【００２６】
接顔部３０は、図１〜３、６に示すように、顔面Ｆと接し可能に覆い部２１の外周縁部２２に沿って環状に形成され、覆い部２１と別体に形成されている。
【００２７】
接顔部３０は、ゴムで管状に形成される管状体３１及び管状体３２と、ゴムで円柱状に形成される被係合部３４と、を有している。
【００２８】
管状体３１は顔面Ｆ側に配置され、管状体３２は顔面Ｆに臨む側に配置されて、前後方向に沿って（実用新案登録請求の範囲における顔面に向かう方向）互いに全周にわたって重ね合わされて配設されている。
【００２９】
顔面Ｆに臨む管状体３２には、顔面Ｆと接顔しているときに、顔面Ｆとの隙間を塞いで本体部２０内の正圧状態又は負圧状態を保持する、圧力保持片３３が配設されている。圧力保持片３３は、シリコーンゴムで、管状体３２に沿って環状、かつ、後側に突出して形成されている。
【００３０】
被係合部３４は、係合部２３の係合片２３ａ、２３ｂと係合可能な被係合部３４を有している。被係合部３４は、管状体３１の前側（実用新案登録請求の範囲における覆い部に臨む側）に、前後方向に沿って管状体３１の全周にわたって重ね合わされて配設されている。
【００３１】
係合部２３の係合片２３ａ、２３ｂと、被係合部３４と、を係合させることで覆い部２１と、接顔部３０とが一体化可能とされ、係合部２３の係合片２３ａ、２３ｂと、被係合部３４と、の係合を解除することで、覆い部２１と、接顔部３０とが離脱可能に形成されている。
【００３２】
吸気排気部４０は、図１〜５に示すように、シリンダ部４１と、ピストン部４２と、シリンダ部４１とピストン部４２とで囲まれる中空部４６を有した注射器形状に形成され、覆い部２１の鼻孔に臨む部分の覆い部２１の頂部２７近傍に取り付けられている。
【００３３】
本実施形態では、覆い部２１の鼻孔に臨む部分の覆い部２１の頂部２７近傍に配設された螺合部２４と、本体部２０に装着された状態において、シリンダ部４１の本体部２０側の端部の外周面にねじが形成された被螺合部４３と、を螺合させて取り付けられている。
【００３４】
本体部２０に装着された状態において、シリンダ部４１の本体部２０側の端面には通気孔４４が配設され、シリンダ部４１の中空部４６に臨む部分には、ピストン部４２を本体部２０側に押し戻すときに外側に開いて、シリンダ部４１の空気Ａを排出して、ピストン部４２の押し戻しを容易にさせる排出扉４５が配設されている。
【００３５】
取付紐５０は、図１に示すように、帯状に形成されたゴム紐が用いられ、使用者の頭部Ｈの左右の耳に掛けられるように覆い部２１の係止部２６において、縛り付ける等してそれぞれ係止されている。
【００３６】
鼻孔通気器具１０を鼻汁吸引具として使用するときの機能作用について説明する。
【００３７】
本体部２０で鼻部Ｎを覆うようにし、接顔部３０を顔面Ｆに接顔させると、管状体３１、３２が、顔面Ｆの形状に対応して弾性変形する。管状体３１、３２は、管状に形成され、中空部分がつぶれる等して変形しやすいうえ、前後方向に沿って重ね合わされて配設されて変形部分の幅を多くとれるので、顔面Ｆの凹凸が大きい人であっても対応することが可能となる。
【００３８】
ピストン部４２を、図４の状態から、本体部２０とは反対側に引っ張ると、図５に示すように、顔面Ｆと本体部２０との間の空間部分Ｓの空気Ａが、通気孔４４を通ってシリンダ部４１の中空部４６内に吸引される。それにともない空間部分Ｓが負圧状態となり、粘度が低い鼻汁であれば、鼻孔内の鼻汁がシリンダ部４１の中空部４６内に吸引される。仮に、粘度が高い鼻汁であっても、少なくとも鼻孔内から吸引されるので、鼻孔外に排出された鼻汁を鼻紙等でふき取ることで、鼻汁を処理することができる。
【００３９】
この時、圧力保持片３３により、管状体３１、３２で塞ぎきれない顔面Ｆとの隙間を塞ぎ、吸気排気部４０による吸引時において、顔面Ｆと本体部２０との間の空間部分Ｓに外気が侵入するのを防止できるため、鼻孔内との圧力差が生じやすくなり、鼻汁の吸引力を高めることになる。
【００４０】
再度鼻汁を吸引する場合には、図５の二点鎖線に示すように、排出扉４５を外側に開けて、図４の状態になるまでピストン部４２を本体部２０側に押し込めば、シリンダ部４１の中空部４６内の空気Ａが排出されてピストン部４２の押し戻しを容易にすることになる。
【００４１】
次に、鼻孔通気器具１０を人工呼吸器として使用するときの機能作用について説明する。
【００４２】
図５に示すように、ピストン部４２を本体部２０とは反対側に引っ張っておき、接顔部３０を顔面Ｆに接顔させる。この時、空気Ａがもれないように使用者の口を塞いでおく。ピストン部４２を本体部２０側に押し込と、シリンダ部４１の中空部４６内の空気Ａが、通気孔４４を通り空間部分Ｓに向かって排出される。それにともない空間部分Ｓが正圧状態となり、鼻孔を通じて使用者の肺に空気Ａが送り込まれる。このとき、管状体３１、３２、圧力保持片３３により空間部分Ｓが正圧状態に維持される。ピストン部４２を押し終えたら、一旦、接顔部３０を顔面Ｆから離す、排出扉４５を開く等して、空間部分Ｓの正圧状態を解除する。すると、肺の弾性により、肺の中の空気Ａを排出がなされる。肺から排出された空気Ａは、二酸化炭素が増えているので、この間にピストン部４２を本体部２０とは反対側に引っ張って、酸素を含んだ空気Ａを中空部４６内に充填しておく。空気Ａが排出されるのを確認したら、上記の空気Ａの送り込み作業を繰り返す。
【００４３】
本実施形態の鼻孔通気器具１０では、鼻部Ｎを覆う覆い部２１と、覆い部２１の外周縁部２２に沿って配設され顔面Ｆと接する接顔部３０と、で本体部２０が構成され、本体部２０が顔面Ｆと接顔しているときに、本体部２０と顔面Ｆとの間に形成される空間部分Ｓを正圧状態又は負圧状態にする吸気排気部４０を備えて構成される鼻孔通気器具であって、接顔部３０が、弾性を有した部材で環状に形成している。
【００４４】
これによれば、本体部２０が使用者の鼻部Ｎを覆って顔面Ｆと接顔するときに、接顔部３０が弾性変形して顔面Ｆの形状にフィットし、吸気排気部４０により本体部２０と顔面Ｆとの間に形成される空間部分Ｓを負圧状態にできるので、圧力差により鼻孔内の鼻汁が、鼻孔外に排出され、鼻孔に器具を挿入することなく容易に鼻汁を吸引することができる。
【００４５】
一方、吸気排気部４０により本体部２０と顔面Ｆとの間に形成される空間部分Ｓを正圧状態にすれば、口と口とを合わすことなく鼻孔を通じて使用者の肺に新鮮な空気Ａを送り可能となる。
【００４６】
また、接顔部３０を、管状に形成された複数の管状体３１、３２で形成して、顔面Ｆに向かう方向に沿って重ね合わせて配設しているので、弾性変形する部分を大きくとれるので、顔面Ｆの凹凸が大きい場合にも顔面Ｆの形状にフィットさせることが可能となる。
【００４７】
また、顔面Ｆに臨む管状体３２に、顔面Ｆと接顔時に、顔面Ｆとの隙間を塞いで空間部分Ｓの正圧状態又は負圧状態を保持する圧力保持片３３を配設しているので、吸気排気部４０による吸引時に、顔面Ｆと本体部２０との間の空間部分Ｓに外気が侵入するのを防止できるため、鼻孔内との圧力差が生じやすくなり、鼻汁の吸引力、人工呼吸における吸気効率を高めることができる。
【００４８】
また、覆い部２１に、接顔時において使用者の頭部Ｈに係止可能な取付紐５０を配設しているので、本体部２０を手で持つ必要がなくなるので、吸気排気部４０による吸引作業を容易にすることができる。
【００４９】
また、接顔部３０を、覆い部２１と別体に形成して、係合部２３と、被係合部３４と、を着脱可能に形成しているので、接顔部３０の破損、経年劣化等により、本体部２０内の正圧状態又は負圧状態の保持が困難になった場合に、接顔部３０のみ交換することができ運用コストを低減することが可能となる。
【００５０】
本考案の鼻孔通気器具１０は上記構成に限定されるものではない。即ち、本発明の要旨を逸脱しない限り各種の設計変更等が可能である。以下に、変形した態様を例示する。
【００５１】
上記実施形態の本体部２０と、接顔部３０の変形例について、図７に基づいて説明する。以下の説明において、上記実施形態と共通する構成については、同一符号を付し説明の全部又は一部を省略する。
【００５２】
接顔部３０は、図７に示すように、管状体３１と、管状体３２と、圧力保持片３３と、で構成され、管状体３１と、覆い部２１の外周縁部２２と、が連設して、覆い部２１と接顔部３０とが一体化して形成されている。
【００５３】
このような構成としても、顔面Ｆの凹凸が大きい場合にも顔面Ｆの形状にフィットさせるとともに、顔面Ｆとの隙間を塞いで鼻汁の吸引力、人工呼吸における吸気効率を高めることが可能となる。
【００５４】
また、鼻根部分の高い人に使用可能とする為に、図８に示すように、本体部２０が使用者の顔面Ｆと接顔しているときに、覆い部２１の使用者の鼻根部分に対応する部分を、外周縁部２２から前側に切り欠いて形成して、接顔部３０を配設することもできる。
【００５５】
また、図９、１０に示すように、係合部２３を、断面視において、覆い部２１の外側に位置する係合片２３ｃと、空間部分Ｓ側に位置して係合片２３ｃより長く形成された係合片２３ｄを有して、略Ｃ字状に形成して、接顔部３０の被係合部３４の周囲長を、外周縁部２２の周囲長より短く形成して、係合部２３の係合片２３ｃ、２３ｄと、被係合部３４と、を係合させた際に、前後方向からみて内側に付勢するように形成すれば、内側に付勢された被係合部３４を、係合片２３ｄと強固に係合させることができる。このとき、管状体３１及び管状体３２が顔面Ｆに垂直となるとともに、覆い部２１と平行となるように、断面視において、管状体３１及び管状体３２を被係合部３４に対して傾斜させて配置するのが望ましい。
【００５６】
また、図１１、１２に示すように、シリンダ部４１に、通気孔４４を開閉可能とするとともに中空部４６側に開く片開き扉として形成された吸気扉４７と、シリンダ部４１の外周壁の中空部４６に臨む部分に位置してシリンダ部４１の外周壁に対して外側に開閉可能な片開き扉として形成された開閉扉４９と、を配設して専用の鼻汁吸引具として適用することができる。
【００５７】
これによれば、図１２に示すように、ピストン部４２を本体部２０とは反対側に引っ張って空間部分Ｓを負圧状態にするときに、空間部分Ｓと中空部４６との圧力差で吸気扉４７が開くとともに、シリンダ部４１の外側の大気圧と中空部４６との圧力差により自動的に開閉扉４９が閉じ、鼻汁吸引作業を容易にすることができる。
【００５８】
一方、図１１に示すように、ピストン部４２を本体部２０側に押し込むと、空間部分Ｓと中空部４６との圧力差により自動的に吸気扉４７が閉じるとともに、シリンダ部４１の外側の大気圧と中空部４６との圧力差により自動的に開閉扉４９が開いて、中空部４６内の空気Ａが排出されてピストン部４２の押し戻しを容易にすることができる。
【００５９】
また、図１３、１４に示すように、シリンダ部４１に、通気孔４４を開閉可能とするとともに空間部分Ｓ側に開く片開き扉として形成された排気扉４８と、シリンダ部４１の外周壁の中空部４６に臨む部分に位置してシリンダ部４１の外周壁に対して内側に開閉可能な片開き扉として形成された開閉扉４９と、を配設して専用の人工呼吸器として適用することができる。
【００６０】
これによれば、図１３に示すように、ピストン部４２を本体部２０側に押し込んで空間部分Ｓを正圧状態にするときに、空間部分Ｓと中空部４６との圧力差により自動的に排気扉４８が開くとともに、シリンダ部４１の外側の大気圧と中空部４６との圧力差により自動的に開閉扉４９が閉じて中空部４６内の空気Ａが空間部分Ｓに向かって排出されて人工呼吸の作業を容易にすることができる。
【００６１】
一方、図１４に示すように、ピストン部４２を本体部２０とは反対側に引っ張ると、空間部分Ｓと中空部４６との圧力差により自動的に排気扉４８が閉じるとともに、シリンダ部４１の外側の大気圧と中空部４６との圧力差により自動的に開閉扉４９が開き、中空部４６内に空気Ａが流入して次の人工呼吸の作業を容易にすることができる。
【００６２】
また、覆い部２１は、吸気排気部４０を取り付けられるとともに、吸気排気部４０により本体部２０内を正圧状態又は負圧状態にしたときに変形しない程度の剛性を有しているのであれば、他のエラストマー（合成ゴム、弾性プラスチック）を用いることができる。
【００６３】
また、管状体３１、３２には、ゴムを用いたが、弾性を有しシール性を有するエラストマー（合成ゴム、弾性プラスチック）を用いることができる。
【００６４】
また、圧力保持片３３には、シリコーンゴムを用いたが、弾性を有しシール性を有する他のエラストマー（合成ゴム、弾性プラスチック）を用いることができる。
【００６５】
また、被係合部３４は、本体部２０内の正圧状態又は負圧状態を保持できるのであれば、管状体３１の全周に形成することなく、断続的に形成することも可能である。
【００６６】
また、吸気排気部４０は、本体部２０内を正圧状態又は負圧状態にできるのであれば、ストローを用いて口で吸う等の他の吸引、排出手段を用いることができる。
【００６７】
また、取付紐５０は、接顔部３０に係止部分を設けて着脱可能に取り付けることもできる。
【００６８】
また、上記実施形態において、接顔部３０が被係合部３４を有さない構成として、管状体３１と、係合部２３の係合片２３ａ、２３ｂと、を係合させる構成とすることもできる。
【符号の説明】
【００６９】
１０  鼻孔通気器具
２０  本体部
２１  覆い部
２２  外周縁部
２３  係合部
３０  接顔部
３１  管状体
３２  管状体
３３  圧力保持片
３４  被係合部
４０  吸気排気部
４５  排出扉
４６  中空部
４７  吸気扉
４８  排気扉
４９  開閉扉
５０  取付紐
Ｆ  顔面
Ｈ  頭部
Ｎ  鼻部
Ｓ  空間部分
【図１】
0003183049.tif 000003
【図２】
0003183049.tif 000004
【図３】
0003183049.tif 000005
【図４】
0003183049.tif 000006
【図５】
0003183049.tif 000007
【図６】
0003183049.tif 000008
【図７】
0003183049.tif 000009
【図８】
0003183049.tif 000010
【図９】
0003183049.tif 000011
【図１０】
0003183049.tif 000012
【図１１】
0003183049.tif 000013
【図１２】
0003183049.tif 000014
【図１３】
0003183049.tif 000015
【図１４】
0003183049.tif 000016